(57)【特許請求の範囲】
【請求項１】
プラグインホールが設けられたハウジングを有するバスダクトと、前記プラグインホールの位置に取り付けられる分岐装置とを備えたバスダクトシステムであって、
前記ハウジングには、前記プラグインホールを開閉する開閉扉が設けられ、
前記分岐装置には、前記開閉扉に閉塞されているプラグインホールに前記分岐装置を近づける動作により該開閉扉を開放方向へ動かす扉開放部が設けられ、
前記扉開放部は、前記バスダクトに取り付けられた際に、該バスダクトの前記ハウジングの内側に挿入されないようになっていることを特徴とするバスダクトシステム。
【請求項２】
前記扉開放部は、前記開閉扉に接触し該開閉扉を開放方向へ動かすようになっていることを特徴とする請求項１に記載のバスダクトシステム。
【請求項３】
前記分岐装置は、前記プラグインホールに挿入される分岐用端子と、該分岐用端子を突出させた状態で支持する箱体とを備え、
前記扉開放部は、前記分岐装置の平面視において前記箱体の外部に露出した位置に形成されていることを特徴とする請求項１又は２に記載のバスダクシステム。
【請求項４】
前記ハウジングには、前記分岐装置の取り付け位置の位置決めのための第１の位置決め部が形成され、
前記分岐装置には、前記ハウジングに対する取り付け位置の位置決めのための第２の位置決め部が形成され、
前記扉開放部は、前記第１の位置決め部と前記第２の位置決め部とが位置合わせされた状態で、前記開閉扉に閉塞されているプラグインホールに前記分岐装置を近づける動作により該開閉扉を開放方向へ動かすことを特徴とする請求項１乃至３の何れかに記載のバスダクトシステム。
【請求項５】
前記分岐装置は、前記プラグインホールに挿入される分岐用端子と、該分岐用端子を突出させた状態で支持する箱体とを備え、
前記第２の位置決め部は、前記分岐装置の平面視において前記箱体の外部に露出した位置に形成されていることを特徴とする請求項４に記載のバスダクトシステム。
【請求項６】
前記ハウジングは、断面視略ロの字形状に形成され、
前記略ロの字形状のハウジングの内側に導体が収容され、
前記扉開放部は、前記バスダクトに前記分岐装置が取り付けられた際に、前記ロの字形状のハウジングの内側に挿入されないようになっていることを特徴とする請求項１乃至５の何れかに記載のバスダクトシステム。
【発明の詳細な説明】
【技術分野】
【０００１】
本発明は、プラグインホールが設けられたハウジングを有するバスダクトと、当該バスダクトに取り付けられる分岐装置とを備えたバスダクトシステムに関する。
【背景技術】
【０００２】
従来から、建物の電気幹線としてバスダクトが用いられており、このバスダクトに流れる電力を設備機器や分電盤などに分岐するバスダクト分岐装置（以下、単に「分岐装置」）が用いられている。この分岐装置には、接触子が突設されており、バスダクトのハウジングに設けられたプラグインホールに接触子を挿入し、ハウジングに支持されているバスダクト導体に接続させることで、バスダクト導体に流れる電力を分岐できるようになっている。
【０００３】
また、上記のようなプラグインホールを設けたバスダクトにおいて、バスダクトの保護性能とバスダクトに分岐装置を装着する際の施工性を向上させる構造（プラグインホール保護構造）が特許文献１に提案されている。特許文献１に記載されたプラグインホール保護構造は、プラグインホールを開閉する開閉扉をバスダクト側に設けると共に、開閉扉の開放用の扉開放用部材（扉開放部材やロック解除部材）を分岐装置側に設けている。このプラグインホール保護構造では、分岐装置が装着されていないときには、開閉扉がプラグインホールを閉塞するようになっている。
また、特許文献１に記載のプラグインホール保護構造は、バスダクトに分岐装置を装着する際に、プラグインホールを閉塞している開閉扉の所定位置に、扉開放用部材を接触させることで分岐装置の扉開放部材を接触させ、ハウジングの内側に向けて扉開放部材を押し込むことで開閉扉を開放させ、プラグインホールから接触子が挿入され、ハウジングに支持されているバスダクト導体に挿入された接触子が接続されるようになっている。
【先行技術文献】
【特許文献】
【０００４】
【特許文献１】特開２０１４−１０３８４５公報
【発明の概要】
【発明が解決しようとする課題】
【０００５】
ところで、特許文献１に記載のバスダクトプラグインホール保護構造は、バスダクトの保護性能の向上と、分岐装置を装着する際の施工性の向上とが図られているものの、施工性においては改善の余地が残っている。
具体的には、上記のバスダクトプラグインホール保護構造は、分岐装置自体の大きさ寸法に比べ、バスダクトに設けられたプラグインホールや開閉扉、分岐装置の扉開放用部材の大きさ寸法が小さく形成されている。そのため、バスダクトに分岐装置を装着する際、扉開放用部材を開閉扉の所定位置に合わせる作業は必ずしも容易であるとは言い難かった。この作業の困難性は、分岐装置の大きさや重量が増加する程、より顕著となる傾向にある。
【０００６】
本発明は上記課題を解消するために提案するものであって、その目的は、プラグインホールが設けられたハウジングを有するバスダクトと、当該バスダクトに取り付けられる分岐装置とを備えたバスダクトシステムであって、バスダクトの保護性能を確保しつつ、分岐装置をバスダクトに取り付ける際の作業性向上が図られているバスダクトシステムを提供することにある。
【課題を解決するための手段】
【０００７】
上記課題を解決するためになされた本発明は、プラグインホールが設けられたハウジングを有するバスダクトと、前記プラグインホールの位置に取り付けられる分岐装置とを備えたバスダクトシステムであって、前記ハウジングには、前記プラグインホールを開閉する開閉扉が設けられ、前記分岐装置には、前記開閉扉に閉塞されているプラグインホールに前記分岐装置を近づける動作により該開閉扉を開放方向へ動かす扉開放部が設けられ、前記扉開放部は、前記バスダクトに取り付けられた際に、該バスダクトの前記ハウジングの内側に挿入されないようになっていることを特徴とする。
また、前記扉開放部は、前記開閉扉に接触し該開閉扉を開放方向へ動かすようになっていることが望ましい。
また、前記分岐装置は、前記プラグインホールに挿入される分岐用端子と、該分岐用端子を突出させた状態で支持する箱体とを備え、前記扉開放部は、前記分岐装置の平面視において前記箱体の外部に露出した位置に形成されていることが望ましい。
【０００８】
前記ハウジングには、前記分岐装置の取り付け位置の位置決めのための第１の位置決め部が形成され、前記分岐装置には、前記ハウジングに対する取り付け位置の位置決めのための第２の位置決め部が形成され、前記扉開放部は、前記第１の位置決め部と前記第２の位置決め部とが位置合わせされた状態で、前記開閉扉に閉塞されているプラグインホールに前記分岐装置を近づける動作により該開閉扉を開放方向へ動かすことが望ましい。
本発明では、位置決め部（第１の位置決め部、第２の位置決め部）が設けられているため、バスダクトに分岐装置を取り付ける際に、プラグインホールに分岐装置を容易に位置合わせし、且つ開閉扉を自動で開放させることができるため施行性が良く、施行時間の短縮及び作業負担の軽減が図られる。また、上記の構成によれば、プラグインホールに分岐装置が取り付けられるまで開閉扉によりプラグインホールが閉塞されているため、バスダクトの保護性能も確保されている。尚、当該実施形態に、開閉扉を閉方向に付勢する付勢手段を設けるようにすれば、一旦取り付けた分岐装置を取り外した場合には、付勢手段に付勢された開閉扉によりプラグインホールが閉塞されているため、バスダクトの保護性能がより一層向上することになる。
また、本発明では、分岐装置がプラグインホールの位置に取り付けられる前において、第１の位置決め部と第２の位置決め部とが位置決めされた後に扉開放部が開閉扉に接触している。換言するならば、本発明の分岐装置は、第１及び第２の位置決め部による位置決め部分と扉開放部及び開閉扉の接触部分との二点によってバスダクトに対して位置決めされた状態で分岐装置がプラグインホールの位置に取り付けられることになる。よって、分岐装置は、プラグインホールの位置に取り付けられる際に、その位置がズレることがほぼ防止され、良好な位置精度で取り付けられる。
【０００９】
また、前記分岐装置は、前記プラグインホールに挿入される分岐用端子と、該分岐用端子を突出させた状態で支持する箱体とを備え、前記第２の位置決め部は、前記分岐装置の平面視において前記箱体の外部に露出した位置に形成されていることが望ましい。
【００１０】
上記の構成によれば、作業者が分岐装置を保持して（例えば、手で持ち）バスダクトに位置合わせする作業をする際に、位置合わせの対象となる第２の位置決め部が視覚で確認できるため（分岐装置を保持した体勢のままで、第２位置決め部を視覚で確認できるため）、分岐装置の位置決めを容易に行うことができる。
また、前記ハウジングは、断面視略ロの字形状に形成され、前記略ロの字形状のハウジングの内側に導体が収容され、前記扉開放部は、前記バスダクトに前記分岐装置が取り付けられた際に、前記ロの字形状のハウジングの内側に挿入されないようになっていることが望ましい。
【００１１】
また、前記扉開放部は、前記ハウジングの内側に挿入されない位置に形成されていることが望ましい。
【００１２】
上記の構成を採用したのは以下の理由による。
具体的には、扉開放部がハウジングの内側に挿入される構成を採用した場合、ハウジング内に設置された絶縁部材と、扉開放部との干渉等を考慮する必要がある。そのため、本発明では、開閉扉を開方向に動かす扉開放部がハウジングの内側に挿入されない構成にし、ハウジング内に設置された絶縁部材との干渉等を考慮することなく扉開放部の形状や大きさ寸法の設計ができるようにしている。
【００１３】
また、前記バスダクトのハウジングは、前記プラグインホールの周囲において前記バスダクトの厚み方向に膨張した形状をしており、前記扉開放部は、前記バスダクトの幅方向視で、前記バスダクトの膨張部分の外側の位置で前記開閉扉に接触し前記開閉扉を開放方向へ動かすようになっていることが望ましい。
【００１４】
このように、本発明では、扉開放部は、バスダクトのハウジングの外側の位置で、プラグインホールを閉塞している開閉扉に接触し、当該開閉扉を開放方向へ動かすようになっている。すなわち、本発明では、ハウジングの内部に扉開放部が挿入されないため、ハウジング内に設置された絶縁部材との干渉等を考慮せずに扉開放部の形状や大きさ寸法を設計することができる。
【００１５】
また、前記扉開放部は、前記分岐装置の平面視において前記箱体の外部に露出した位置に形成されていることが望ましい。
この構成により、開閉扉に対する扉開放部の接触が視認し易くなる。
【００１６】
また、前記扉開放部と前記第２の位置決め部とが、一体に形成されていることが望ましい。
この構成により、平面視において外部に露出している扉開放部が第２の位置決め部の機能も併せ持つため、位置決めし易いと共に開閉扉に対する扉開放部の接触が視認し易く、且つ、全体として簡易に構成できる。
【００１７】
また、前記分岐装置は、前記第１の位置決め部に位置合わせした前記第２の位置決め部を支点として前記バスダクトに対して回転可能になっており、前記扉開放部は、前記開閉扉に閉塞されている前記プラグインホールへ前記分岐装置を回転させつつ近づける動作にともない前記開閉扉を開放方向へ動かすことが望ましい。
【００１８】
上記の構成により、位置決めされた状態の分岐装置を回転させるだけで、開閉扉を容易に開放してバスダクトに装着することができる。また、分岐装置の回転動作が梃子の原理で作用することにより、その分だけ小さい力で開閉扉を開放できるという作用効果が得られる。
【００１９】
また、前記扉開放部と前記開閉扉との接触開始点が、前記接続端子を基準として回転の支点側にずれた位置であることが望ましい（すなわち、上記の接触開始点と回転の支点との距離寸法が、接続端子と回転の支点と距離寸法以下となっている）。
【００２０】
上記の構成により、前記扉開放部と前記開閉扉との接触開始点の位置精度（回転の支点からの距離の影響を受ける）が、前記プラグインホールに挿入される接続端子の位置精度以上となるため、安定した接触が確保される。つまり開閉扉を安定して開放し易いという効果がある。また、梃子の原理により力が加わり易くなるため、小さい力で開閉扉を開放させることができる。さらに、扉開放部が支点側にずれた分だけ開閉扉と接触するまでの距離が短くなるため、扉開放部を小さくコンパクトに構成することができる。
【００２１】
また、前記扉開放部には、前記分岐装置の回転に伴って生じる前記開閉扉との接触角度の変化を吸収する接触角度変更部が形成されていることが望ましい。
この構成により、分岐装置の回転に伴ってバスダクトに対する分岐装置の角度が開閉扉を開放し難い方に変化したとしても、開閉扉と扉開放部との接触角度は開閉扉を比較的開放し易い状態に維持される。
【発明の効果】
【００２２】
本発明によれば、バスダクトの保護性能を確保しつつ、分岐装置をバスダクトに取り付ける際の作業性向上が図られているバスダクトシステムを提供することができる。
【図面の簡単な説明】
【００２３】
【図１】本発明の第１実施形態のバスダクトシステムを構成するバスダクトを説明するための図であり、（a）が側面図であり、（ｂ）が平面図である。
【図２】本発明の第１実施形態のバスダクトの断面を示す模式図であり、（a）がバスダクトを構成するバスダクトユニットの断面を示す模式図であり、（ｂ）がバスダクトを構成する接続ユニットの断面を示す模式図である。
【図３】本発明の第１実施形態のバスダクトシステムを構成する分岐装置を説明するための模式図であり、（a）が平面模式図であり、（ｂ）が側面模式図である。
【図４】本発明の第１実施形態の分岐装置に設けられている扉開放部及び位置決め部を図であり、（a）が平面図であり、（ｂ）が側面図であり、（ｃ）が図４（a）のＡ−Ａ断面図であり、（ｄ）が背面図である。
【図５】本発明の第１実施形態のバスダクトに設けられた接続上下板及び開閉扉を示す模式図であり、（ａ）が開閉扉によりプラグインホールが閉塞されている状態を示した平面模式図であり、（ｂ）が開閉扉によりプラグインホールが閉塞されている状態を示した側面模式図であり、（ｃ）が開閉扉によりプラグインホールが開放されている状態を示した平面模式図であり、（ｄ）が接続上下板及び開閉扉の背面模式図である。
【図６】本発明の第１実施形態のバスダクトシステムの施行手順を示した模式図であり、（ａ）がバスダクトに分岐装置を位置合わせしている作業状態を示した模式図であり、（ｂ）がバスダクトに分岐装置を装着している作業状態を示した模式図であり、（ｃ）がバスダクトに分岐装置が装着された状態を示した模式図である。
【図７】本発明の第２実施形態のバスダクトシステムを説明するための模式図であり、（ａ）がバスダクトに分岐装置を位置合わせしている作業状態を示した模式図であり、（ｂ）がバスダクトに分岐装置を装着している作業状態を示した模式図であり、（ｃ）がバスダクトに分岐装置が装着された状態を示した模式図である。
【図８】本発明の第３実施形態のバスダクトシステムを説明するための模式図であり、（ａ）がバスダクトに分岐装置を位置合わせしている作業状態を示した模式図であり、（ｂ）がバスダクトに分岐装置を位置決めして作業状態を示した模式図であり、（ｃ）がバスダクトに分岐装置が装着された状態を示した模式図である。
【図９】本発明の第４実施形態の分岐装置に設けられた位置決め部を説明するための図であり、（ａ）が位置決め部の平面図であり、（ｂ）が位置決め部の側面図であり、（ｃ）が図９（a）のＢ−Ｂ断面図であり、（ｄ）が位置決め部の背面図である。
【図１０】本発明の第４実施形態の分岐装置に設けられた扉開放部を説明するための図であり、（ａ）が平面図であり、（ｂ）が側面図であり、（ｃ）が図１０（a）のＣ−Ｃ断面図であり、（ｄ）が背面図である。
【図１１】本発明の第４実施形態の分岐装置に取り付けられ状態の扉開放部及び位置決め部を示す図であり、（a）が平面図であり、（ｂ）が側面図であり、（ｃ）が図１１（a）のＤ−Ｄ断面図であり、（ｄ）が背面図である。
【図１２】本発明の第４実施形態のバスダクトのハウジングを構成する接続上下板及び開閉扉を示す模式図であり、（ａ）が開閉扉によりプラグインホールが閉塞されている状態を示した平面模式図であり、（ｂ）が開閉扉によりプラグインホールが閉塞されている状態を示した側面模式図であり、（ｃ）が開閉扉によりプラグインホールが開放されている状態を示した平面模式図であり、（ｄ）が接続上下板及び開閉扉の背面模式図である。
【図１３】本発明の第４実施形態のバスダクトシステムの施行手順を示した模式図であり、（ａ）がバスダクトに分岐装置を位置合わせしている作業状態を示した模式図であり、（ｂ）がバスダクトに分岐装置を装着している作業状態を示した模式図であり、（ｃ）がバスダクトに分岐装置が装着された状態を示した模式図である。
【図１４】本発明の第１実施形態のバスダクトシステムの変形例を示した模式図である。
【図１５】（ａ）〜（ｃ）は本発明の第４実施形態のバスダクトシステムの各変形例を示した模式図である。
【発明を実施するための形態】
【００２４】
以下、本発明の実施形態のバスダクトシステムについて図面に基づいて説明する。尚、本発明のバスダクトシステムは、以下の実施形態（第１〜４実施形態）に限定されるものではない。
【００２５】
《第１実施形態》
先ず、第１実施形態のバスダクトシステムについて図１〜６を用いて説明する。
第１実施形態のバスダクトシステムは、図６に示すように、プラグインホール５３（図５参照）が設けられたハウジングを有するバスダクト１０と、バスダクト１０に着脱自在に取り付けられる分岐装置２０とを備えている。
尚、後述するが、バスダクト１０のハウジングは、バスダクトユニット１１のパイプスペーサ１１２及び側板１１３と、接続ユニット１２の接続側板１２３及び接続上下板５０・９０とを有する構成になっている。
【００２６】
また、バスダクト１０のハウジングには、プラグインホール５３を開閉する開閉扉６０及び開閉扉６０を閉方向に付勢するばね（付勢手段）７０が設けられている。また、上記のハウジングには、分岐装置２０の取り付け位置を位置決めする位置決め孔５４（第１の位置決め部）が形成されている。
尚、開閉扉６０は、分岐装置２０が取り付けられていないときには、ばね（付勢手段）７０に付勢されてプラグインホール５３を閉塞するようになっている。
【００２７】
また、分岐装置２０は、バスダクト１０のハウジングに対する取り付け位置を位置決めする位置決め部４０（第２の位置決め部）と、バスダクト１０のハウジングの位置決め孔５４に位置決め部４０を挿入して位置合わせした状態で開閉扉６０に閉塞されているプラグインホール５３に分岐装置２０を近づける動作により開閉扉６０に接触して開閉扉６０を開放方向へ動かす扉開放部３０とを備えている（図６（ｂ）、（ｃ）参照）。
【００２８】
上記の構成によれば、バスダクト１０に分岐装置２０を取り付ける際に、プラグインホール５３の位置に分岐装置を容易に位置合わせでき、且つ開閉扉６０を自動で開放させることができ、上述した特許文献１に記載の発明と比べて、施工性が向上している。尚、第１実施形態では、分岐装置２０が取り付けられていない状態のときには、ばね（付勢手段）７０に付勢された開閉扉６０によりプラグインホール５３が閉塞されているため、バスダクトの保護性能も確保されている。
【００２９】
次に、第１実施形態のバスダクトシステムの各構成について順番に説明していく。
【００３０】
先ず、バスダクト１０の構成について図１及び図２を参照しながら説明する。
図１及び図２に示すように、バスダクト１０は、絶縁被覆された導体１１１aをハウジングで覆った構成であり、バスダクトユニット１１・１１を別体の接続ユニット１２を介して相互に接続することで形成されている。すなわち、第1実施形態のバスダクト１０は、複数のバスダクトユニット１１と、隣接配置されたバスダクトユニット１１を接続する接続ユニット１２とを有する構成になっている。
【００３１】
バスダクトユニット１１は、図２（ａ）に示すように、絶縁被覆された３相の絶縁被覆導体１１１（平板状の送電用の導体１１１ａを絶縁物で被覆して形成された絶縁被覆導体１１１）が並設され、絶縁被覆導体１１１の幅方向両側に平面視略方形のパイプスペーサ１１２が配置されている。また、バスダクトユニット１１は、絶縁被覆導体１１１及びパイプスペーサ１１２を断面略コ字形の一対の側板１１３・１１３で一括して狭持し、側板１１３に挿通したボルト１１４ａ、ナット１１４ｂ等の締着具を緊締して固定されている。
【００３２】
上記の側板１１３は、その両上下端縁に、狭持している絶縁被覆導体１１１から外方へ向かって第１補強部１１３ａが略直角に延設され、第１補強部１１３ａの端縁には互いに向きあう方向に第２補強部１１３ｂが略直角に延設され、バスダクトユニット１１やバスダクト１０自体の強度を保っている。尚、バスダクトユニット１１において、パイプスペーサ１１２、側板１１３がハウジングに相当する。
【００３３】
また、接続ユニット１２は、図２（ｂ）に示すように、接続すべきバスダクトユニット１１・１１の同相導体１１１ａ・１１１ａ間を電気的に接続する導電性接続部材１２１と、絶縁セパレータ１２２と、これらを外方から狭持する接続側板１２３と、接続側板１２３の外方に配置された押圧部材１２４とが設けられており、これらを絶縁スリーブ１２５に挿通してなる締着具１２６で緊締してバスダクトユニット１１・１１を相互に接続する構成であり、接続前には締着具１２６によって仮締着された状態になっている。
尚、絶縁セパレータ１２２は、導電性接続部材１２１を含む異相の導体１１１ａ・１１１ａ間及び導電性接続部材１２１を含む最外側の導体１１１ａと接続側板１２３間を絶縁する位置に設置されている。
【００３４】
接続ユニット１２でバスダクトユニット１１・１１を接続してバスダクト１０を構成する場合、接続すべきバスダクトユニット１１・１１の導体１１１ａ・１１１ａの端部を同相の導電性接続部材１２１・１２１間に挿入し、バスダクト側板１１３と接続側板１２３とをボルトナット等の締着具で固定し、その後、仮締着している締着具１２６を緊締し、更に対応開放面である上下面のうちの一方、例えば上面に開閉扉６０が設けられている接続上下板５０を配置し、また他方、例えば下面にプラグインホール５３及び開閉扉６０が設けられていない接続上下板９０を配置してバスダクトユニット１１・１１にビス止めする等で固定し、前記開放面を塞ぐことにより、バスダクトユニット１１・１１相互の接続が完了する。これにより、バスダクト１０のハウジングは、プラグインホール５３の周囲部分を形成する接続ユニット１２において、バスダクトの厚み方向に膨張した膨張部が形成されている。尚、接続ユニット１２において、接続側板１２３及び接続上下板５０・９０がハウジングに相当する。
【００３５】
次に分岐装置２０について図３を参照しながら説明する。
図３に示すように、分岐装置２０は、分岐用端子２３を支持する、ボックス形の箱体２２を備えている。この箱体２２は、板状の底面２２ａを有し、この底面２２ａから周壁である側壁２２ｂ、前壁２２ｃ、後壁２２ｄが立設し、その上面には開閉可能な蓋体２２ｅが設けられている。
【００３６】
底面２２ａの前端側から中程にかけて扉開放部３０、分岐用端子２３、位置決め部４０（第２の位置決め部）、第一固定部材２４が順に設けられ、前壁２２ｃ及び後壁２２ｄには第二固定部材２５及び第三固定部材２６がそれぞれ設けられている。箱体２２内には、分岐用端子２３を固定する端子台２３ａと、ブレーカー２３ｂと、端子台２３ａとブレーカー２３ｂを電気的に接続する可撓性導線２３ｃとが設置され、図には省略するが、可撓性導線２３ｃからブレーカー２３ｂを介して箱体２２の外に電力を分岐する構成となっている。
【００３７】
扉開放部３０は、図４（ａ）〜（ｄ）に示すように、平板状の基部３１と、基部３１の側方の両端縁を略直角に屈曲延設してなる開放片３２・３２とを有している。尚、開放片３２は片側だけでも良い。基部３１には、箱体底面２２ａに取り付けられた際に分岐用端子２３が挿通される端子孔３１ａが設けられている。
開放片３２・３２は、図４（ｂ）に示すように、基部３１の前方側辺（前方端）３１ｂから前方辺３２ａが略垂直下方に延設され、下端が円弧形状に形成された底辺３２ｂを介して基部３１へ向けて斜め後方に傾斜辺３２ｃが延設されることで、全体として直角三角形を逆三角形状に配置した形に形成されている。
【００３８】
位置決め部４０は、平板状の基部４１と、基部４１の側方の両端縁を略直角に屈曲延設してなる位置決め片４２・４２とを有している。尚、位置決め片４２は片側だけでも良い。
位置決め片４２は、図４（ｂ）に示すように、基部４１の後方側辺（後方端）４１ｂから後方辺４２ｃが略垂直下方に延設され、下端が円弧形状に形成された底辺４２ｂを介して基部４１へ向けて前方辺４２ａが延設されることで、全体として、下端側が細く先すぼみ形状（略舌形状）に形成されている。
【００３９】
尚、第１実施形態では、扉開放部３０及び位置決め部４０は、基部３１及び基部４１が一体に連結した一つの部材により形成され、ビスやリベット等の締着具を用いて基部３１及び基部４１が箱体２２の底面２２ａに固定されている。また、扉開放部３０及び位置決め部４０は、箱体２２の底面２２ａに固定された状態で開放片３２・３２が底面２２ａの前端側で、底面２２ａから下方に向けて延び、位置決め片４２・４２が底面２２ａの中程で、底面２２ａから下方に延びる構成になっている。尚、扉開放部３０と位置決め部４０との位置関係は、その機能を発揮できる範囲において適宜変更可能である。
【００４０】
次に、バスダクト１０側の構造について説明する。
バスダクト１０の接続上下板５０及び開閉扉６０は、図５（ａ）〜（ｄ）に示す構造をしている。
【００４１】
具体的には、接続上下板５０は、平板状の基部５１と、基部５１の側方の両端縁を略直角に屈曲延設してなる補強片５２とを有している。また、接続上下板５０には、分岐装置２０を取り付ける際に、分岐用端子２３が挿通されるプラグインホール５３（図５（ｃ）参照）と、位置決め部４０の位置決め片４２・４２を受け入れる位置決め孔５４（第１の位置決め部）とが形成されている。位置決め孔５４は、分岐装置２０の位置決め片４２・４２に対応する位置、すなわち、本実施形態では接続上下板５０の後方端側に形成されている。
【００４２】
開閉扉６０は、平板状の基部６１と、基部６１の側方の両端縁を略直角に屈曲延設してなるスライド側片６２・６２と、スライド側片６２の下端縁を略直角に内側に屈曲延設してなるスライド下片６３（図５（ｄ）参照）と、スライド側片６２の前端縁を外側に屈曲延設された被接触片６４とを有している。また、開閉扉６０には、分岐装置２０の取り付ける際に、分岐用端子２３が挿通される切欠６５（コの字状に凹んだ切欠６５）が形成されている。
【００４３】
被接触片６４は、分岐装置２０を取り付ける際に、扉開放部３０が接触する被接触部として形成されると共に、扉開放部３０の開放片３２の傾斜辺３２ｃと同程度に傾斜して設けられている。また、切欠６５には、ビス等が係止される係止部６５ａ（図５（ｃ）参照）が設けられている。尚、係止部６５ａは、ビス等に係止されるだけでなく、例えば、緩めたビスにより係止部６５ａの縁を挟むように締結させてもよい。これにより、ビス等を緩めない限り分岐装置２０を取り付けようとしても開閉扉６０を開かないようにすることができ、より一層の保護が可能となる。
【００４４】
開閉扉６０は、スライド側片６２・６２及びスライド下片６３・６３で接続上下板５０の補強片５２・５２を抱え込むようにして、続上下板５０にスライド自在に取り付けられる。このとき、接続上下板５０と開閉扉６０の図示しないバネ取付孔同士を連結するようにバネ（例えば、コイルバネ）７０を取り付けることで、接続上下板５０のプラグインホール５３を閉塞する方向に開閉扉６０が付勢される。
【００４５】
また、開閉扉６０がプラグインホール５３を閉塞する位置に合わせて係止部６５ａに係止されるようにビス７１を接続上下板５０の基部５１に取り付けることで、閉塞する方向に付勢された開閉扉６０がプラグインホール５３を越えて移動してしまわないように係止される（必要に応じて、開閉扉６０の係止部６５ａの縁をビス７１で挟持して締結するようにしても良い）。この結果、開閉扉６０は、通常の状態（分岐装置２０が取り付けられていない状態）ではバネ７０に付勢されてプラグインホール５３を閉塞し（図５（ａ）、（ｂ）参照）、後述する扉開放部３０によりバネ７０の付勢力及び開閉扉６０と接続上下板５０とのスライド部分の摩擦力を越える力で被接触片６４が押圧されるとプラグインホール５３を開放する（図５（ｃ）参照）。このとき、切欠６５が孔として形成されておらず、被接触片６４・６４の間が分断していることにより、接続上下板５０にゴミや埃が付着しているような場合に、開閉扉６０を開放したことによってそのゴミや埃をプラグインホール５３内にこそぎ落としてしまう事態を回避することができる。
【００４６】
次に、分岐装置２０をバスダクト１０に取り付ける施行手順及びバスダクトシステムの構成部品の動作について図６を参照しながら説明する。
【００４７】
先ず、図６（ａ）に示すように、作業者が接続ユニット１２の近傍に分岐装置２０を配置し、次に、図６（ｂ）に示すように、バスダクト１０に対して分岐装置２０を略並行を維持したまま近づけ、接続上下板５０に設けられた位置決め孔５４に分岐装置２０の位置決め部４０の位置決め片４２を挿入する。これにより、分岐装置２０がバスダクト１０の取り付け位置に位置決めされる共に、分岐装置２０の扉開放部３０の開放片３２・３２が、開閉扉６０の被接触片６４に接触する。
【００４８】
次に、作業者は、図６（ｂ）に示す状態で、分岐装置２０をバスダクト１０に近づけると（図示する例では、鉛直下方に押し込むと）、位置決めされた分岐装置２０の扉開放部３０の開放片３２・３２が、開閉扉６０の被接触片６４に接触して鉛直下向きに押圧する。そして、扉開放部３０の開放片３２・３２が、開閉扉６０の被接触片６４に接触して鉛直下向きに押圧すると、鉛直下向きに移動する傾斜辺３２ｃにより、分岐装置２０をバスダクト１０へ近づける力が開閉扉６０を開放する力に変換され、図６（ｃ）に示すように、開閉扉６０が開放され、プラグインホール５３に分岐用端子２３が挿入され、その状態で第一固定部材２４によってワンタッチ固定される。
そして、第二固定部材２５で接続上下板５０の基部５１を把持すると共に、第三固定部材２６でバスダクト１０の第１補強部１１３ａを把持することにより、分岐装置２０の箱体２２はバスダクト１０に固定される。
【００４９】
上記のように、バスダクト１０に分岐装置２０を固定して取り付けた状態にすると、分岐装置２０の分岐用端子２３は接続上下板５０のプラグインホール５３を介して、バスダクト１０のハウジングの内部に挿通され、バスダクト１０の接続ユニット１２の同相の導電性接続部材１２１・１２１間に填り込み、分岐用端子２３とバスダクト１０の導体１１１は電気的に接続された状態となる（図示せず）。尚、上述した手順の逆の手順を行うことにより、一旦取り付けた分岐装置２０を取り外すことも可能である。
【００５０】
このようにして、第１実施形態によれば、バスダクト１０に分岐装置２０を取り付ける際に、プラグインホール５３の位置に分岐装置２０を容易に位置合わせし、且つ開閉扉６０を自動で開放させることができる。また、上記の構成によれば、プラグインホール５３に分岐装置２０が取り付けられる前や一旦取り付けた分岐装置２０を取り外したような場合には、バネ７０に付勢された開閉扉６０によりプラグインホール５３が閉塞されるため、バスダクト１０の保護性能も十分に確保されている。尚、バネ７０は必須の構成ではなく、例えば開閉扉６０が所定の力以上で開方向に押圧されると乗り越えられるような係止凹凸構造を開閉扉６０と接続上下板５０とのそれぞれ接触面側に形成する等すれば、分岐装置２０を取り付ける際に当該係止凹凸構造を乗り越える力を加えることにより開閉扉６０を自動で開放させることができる。
【００５１】
また、第１実施形態では、扉開放部３０の開放片３２・３２がバスダクト１０のハウジングの外側に位置するように配置され、開放片３２・３２が、バスダクト１０のハウジングの外部に配置されている被接触片６４に接触し押圧することで、プラグインホール５３を閉塞している開閉扉６０を開放するようになっている。すなわち、第１実施形態では、バスダクト１０のハウジングの内部に扉開放部３０が挿入されないため、ハウジング内に設置された絶縁部材との干渉等を考慮せずに扉開放部３０の形状や大きさ寸法を設計することができる。
さらに、第１実施形態に係る分岐装置２０は、分岐用端子２３がプラグインホール５３に挿入される前において、位置決め部４０（位置決め片４２）が位置決め孔５４に位置決めされた後に扉開放部３０（開放片３２）が開閉扉６０（被接触片６４）に接触している。換言するならば、分岐装置２０は、位置決め部４０と扉開放部３０との二点によってバスダクト１０に対して位置決めされた状態で分岐用端子２３が挿入されることになる。よって、分岐装置２０は、分岐用端子２３をプラグインホール５３に挿入する際に、分岐用端子２３の位置がズレることがほぼ防止され、良好な位置精度でプラグインホール５３に挿入されることになる。さらにこの場合、位置決め部４０と扉開放部３０との間に分岐用端子２３が設けられており、換言するならば、分岐用端子２３の前後両方を位置決めしたような状態でプラグインホール５３内に挿入されることになる。これにより、挿入時の分岐用端子２３の位置精度がより一層向上し、取付作業がより容易となる。
【００５２】
尚、第１実施形態では、開閉扉６０の被接触片６４が傾斜辺３２ｃと同程度に傾斜して設けられているため、開放片３２と被接触片６４の接触が安定し易いという効果があるが、被接触片６４は必ずしも傾斜していなくて良く、その場合でも、開閉扉６０の開放は可能である。
【００５３】
また、第１実施形態では、開放片３２が逆三角形状に形成されているが、特にこれに限定されるものではない。開放片３２の形状は逆三角形状に限らず、被接触片６４を押圧して開閉扉６０を開放できる形状であれば良く、例えば、台形状、平行四辺形状、円弧形状等の他の形状であっても良い。
【００５４】
また、例えば、図１４に示すように、扉開放部３０の開放片３２に傾斜辺を設けず、被接触片６４を大きく形成するようにしてもよく、このような構成でも、第１実施形態と同じ動作により開閉扉６０の開放は可能である。すなわち、扉開放部３０の開放片３２と開閉扉６０の被接触片６４は、少なくともどちらか一方が、開閉扉６０のスライドに必要な分だけ傾斜していれば良い。
【００５５】
《第２実施形態》
次に、第２実施形態のバスダクトシステムについて図７を用いて説明する。
ここで、図７は、本発明の第２実施形態のバスダクトシステムを説明するための模式図であり、（ａ）がバスダクトに分岐装置を位置合わせしている作業状態を示した模式図であり、（ｂ）がバスダクトに分岐装置を装着している作業状態を示した模式図であり、（ｃ）がバスダクトに分岐装置が装着された状態を示した模式図である。
尚、以下では、第１実施形態と同じ構成或いは類似する構成に関しては同じ符号を付し、その説明を省略する。また、第２実施形態では、第１実施形態の「扉開放部３０及び位置決め部４０」が「扉開放部１３０（位置決めの機能も併せ持つ）」に変更され、第１実施形態の「接続上限板５０及び開閉扉６０」が「接続上限板１５０及び開閉扉１６０」に変更されている。また、第２実施形態では、「開閉扉１６０の前端縁１６４」が、第１実施形態の「被接触片６４」と同様の役割を担っている。また、第２実施形態では、第１実施形態の「位置決め孔５４」が「位置決め孔１５４」に変更されている。
【００５６】
具体的には、図７に示すように、第２実施形態の分岐装置２０は、平面視において、扉開放部１３０の開放片３２の前方辺３２ａが前壁２２ｃよりも前方に突出した形状をしている。また、この扉開放部１３０は、位置決め部（第２の位置決め部）としての機能も有している。
【００５７】
また、接続上下板１５０は、扉開放部１３０の開放片３２・３２を位置決め部として受け入れる位置決め孔１５４（第１の位置決め部）が形成されている。位置決め孔１５４は、開放片３２・３２に対応する位置、すなわち、本実施形態では接続上下板１５０の前方端側に開放片３２が挿入可能な長さで形成されている。
【００５８】
図中において開閉扉１６０は、接続上下板１５０に装着された際に、扉開放部１３０の開放片３２の先端が挿入可能な程度の隙間をあけて位置決め孔１５４を覆うように形成されている（尚、扉開放部１３０は、プラグインホール５３を閉塞している）。このとき、開閉扉１６０の前端縁１６４が、扉開放部１３０が接触する被接触部として機能する。
【００５９】
以上のような構成の第２実施形態のバスダクトシステムにおいて、分岐装置２０をバスダクト１０に取り付ける場合、作業者は、先ず、図７（ａ）に示すように接続ユニット１２の近傍に分岐装置２０を配置する。
次に、作業者は、図７（ｂ）に示すように、バスダクト１０に対して分岐装置２０を略並行に維持したまま近づけ、接続上下板１５０に設けられた位置決め孔１５４のうち開閉扉１６０に覆われていない部分に分岐装置２０の扉開放部１３０の開放片３２を挿入する。
【００６０】
上記の作業により（位置決め孔１５４のうち開閉扉１６０に覆われていない部分に分岐装置２０の扉開放部１３０の開放片３２を挿入する作業により）、分岐装置２０は、扉開放部１３０の位置決め部としての機能によって位置決めされる。
また、作業者は、図７（ｂ）に示す状態で、分岐装置２０をバスダクト１０に近づけると（図示する例では、鉛直下方に押し込むと）、位置決めされた分岐装置２０の扉開放部１３０の開放片３２・３２が、開閉扉１６０の前端縁１６４に接触して鉛直下向きに押圧する。そして、扉開放部１３０の開放片３２・３２が、開閉扉１６０の前端縁１６４を押圧すると、傾斜辺３２ｃにより、分岐装置２０をバスダクト１０へ近づける力が開閉扉１６０を開放する力に変換され、図７（ｃ）に示すように開閉扉１６０が開放される。その後、プラグインホール５３に分岐用端子２３が挿入されて分岐装置２０がバスダクト１０に固定される（この点については、上述の第１実施形態と同様である）。
【００６１】
このようにして、第２実施形態においても、分岐装置２０の取り付け前の状態では開閉扉１６０によりバスダクト１０の保護性能が確保されている。また、第２実施形態においても、分岐装置２０の取り付けるときには、バスダクト１０の位置決め孔１５４に分岐装置２０の開放片３２を位置合わせすることで、開閉扉１６０を容易に自動で開放することができる。また、第２実施形態においても、バスダクト１０のハウジングの内部に扉開放部１３０が挿入されないため、ハウジング内に設置された絶縁部材との干渉等を考慮せずに扉開放部１３０の形状や大きさ寸法を設計することができる。
【００６２】
特に、第２実施形態では、平面視において、扉開放部１３０の開放片３２の前方辺３２ａが分岐装置２０の前壁２２ｃよりも前方に突出した形状をしている。すなわち、第２実施形態では、扉開放部１３０が外部に露出して見易い位置に設けられているため、扉開放部１３０それ自体が位置決め部として機能することになり、その結果として、全体として簡易な構成でありながら、位置決めし易いと共に開閉扉１６０に対する扉開放部１３０の接触が視認し易いという特徴がある。
【００６３】
上記の構成に加え、第２実施形態では、分岐装置２０の前壁２２ｃに設けられた第二固定部材１２５が、例えばヒンジ構造により回動可能に設けられている。すなわち、第二固定部材１２５は、予め紐で締結する等して折りたたんだ状態にしておき（図７（ａ））、最終的に分岐装置２０をバスダクト１０に取り付ける段階で回動してバスダクト１０の第１補強部１１３ａを把持することにより、分岐装置２０の箱体２２はバスダクト１０に固定される（図７（ｃ））。これにより、分岐装置２０の取り付け作業の際においては、外部に露出した扉開放部１３０の視認性を阻害することなく、最終的に分岐装置２０をバスダクト１０に取り付ける段階においては、分岐装置２０を確実に固定できるという効果がある。
【００６４】
また、第２実施形態の第二固定部材１２５は、分岐装置２０の前壁２２ｃよりも前方に突出した扉開放部１３０を直接押圧するようにもなっており、分岐装置２０のより強固な固定、すなわち、分岐用端子２３と導電性接続部材１２１・１２１のより安定な電気的接続が担保される。
【００６５】
《第３実施形態》
次に、第３実施形態のバスダクトシステムについて図８を用いて説明する。
ここで、図８は、本発明の第３実施形態のバスダクトシステムを説明するための模式図であり、（ａ）がバスダクトに分岐装置を位置合わせしている作業状態を示した模式図であり、（ｂ）がバスダクトに分岐装置を位置決めして作業状態を示した模式図であり、（ｃ）がバスダクトに分岐装置が装着された状態を示した模式図である。
尚、以下では、第１実施形態と同じ構成或いは類似する構成に関しては同じ符号を付し、その説明を省略する。また、第３実施形態では、第１実施形態の「扉開放部３０及び位置決め部４０」が「扉開放部２３０及び位置決め部２４０」に変更され、第１実施形態の「接続上限板５０及び開閉扉６０」が「接続上限板２５０及び開閉扉２６０」に変更され、第１実施形態の「被接触片６４」が「被接触片２６４」に変更されている。また、第３実施形態では、第１実施形態の「位置決め孔５４」が「位置決め孔２５４」に変更されている。
【００６６】
図８に示すように、第３実施形態の分岐装置２０は、位置決め部２４０が前壁２２ｃよりも前方に突出した形状をしている。この位置決め部２４０の位置決め片２４２の前方には、接続上下板２５０の位置決め孔２５４の前側縁に係止可能な係止部２４２ａが形成されている。また、扉開放部２３０は、図示の位置に設けられており（位置決め部２４０よりも後方側に設けられており）、開放片２３２は、その後方が円弧形状の接触角度変更辺２３２ａになっている。
尚、扉開放部２３０は、位置決めされて分岐装置２０を取り付ける際において、以下で説明する開閉扉２６０との接触開始点が、少なくとも接続端子２３の後端側を基準として回転の支点側に設けられている。
【００６７】
また、接続上下板２５０は、位置決め部２４０の位置決め片２４２・２４２を受け入れる位置、すなわち、本実施形態では接続上下板２５０の前方端側に位置決め孔２５４が形成されている。そして、開閉扉２６０は、被接触片２６４が開閉扉２６０の前方ではなく中程に設けられている点で第１実施形態の開閉扉６０とは相違している。この被接触片２６４は、開閉扉２６０のスライド側片６２を側方に切り起こすようにして延設されている。
【００６８】
以上のような構成の第３実施形態のバスダクトシステムにおいて、分岐装置２０をバスダクト１０に取り付ける場合、作業者は、先ず、図８（ａ）に示すように接続ユニット１２の近傍に分岐装置２０を配置し、図８（ｂ）に示すように、分岐装置２０の前壁２２ｃ側を下方にするように全体を傾斜させた状態でバスダクト１０に近づけ、接続上下板２５０に設けられた位置決め孔２５４に分岐装置２０の位置決め部２４０の位置決め片２４２を挿入し、位置決め片２４２の係止部２４２ａを位置決め孔２５４の前側縁に係止する。この作業により、分岐装置２０がバスダクト１０に位置決めされる。
【００６９】
そして、この位置決め片２４２を支点にして、分岐装置２０全体をバスダクト１０に向けて回転させつつ近づけると、分岐装置２０の扉開放部２３０の開放片２３２が上記回転にともなって回転し、開閉扉２６０の被接触片２６４に接触して押圧し、プラグインホール５３を閉塞している開閉扉２６０をスライド移動させて開放する。このとき、開放の後半部分において、扉開放部２３０の開放片２３２の接触角度変更辺２３２ａが開閉扉２６０の被接触片２６４に接触して回転方向に沿って押圧することになる。その際、回転に伴ってバスダクト１０に対する分岐装置２０の角度が小さくなる方向（開閉扉２６０を開放し難い方向）に角度が変化するが、被接触片２６４に対する扉開放部２３０の接触位置が円弧形状の接触角度変更辺２３２ａに沿って移動することにより、開閉扉２６０の被接触片２６４に対する扉開放部２３０の開放片２３２の角度は、開閉扉２６０を開放し易い角度に維持される。
【００７０】
その後、プラグインホール５３に分岐用端子２３が挿入されて、第一固定部材２４、第二固定部材１２５、第三固定部材２６により分岐装置２０がバスダクト１０に固定される点については、上述の第１実施形態及び第２実施形態と同様である。尚、扉開放部２３０の開放片２３２と開閉扉２６０の被接触片２６４との接触点は、回転の際に扉開放部２３０が接続ユニット１２の構成部材と干渉しない位置になるように設計されている。
【００７１】
このように、第３実施形態においても、第１実施形態と同様の作用効果が得られる。
【００７２】
特に、第３実施形態では、位置決め部２４０を支点として分岐装置２０を回転させるだけで、開閉扉２６０を容易に開放してバスダクト１０に装着することができる。また、分岐装置２０の回転動作が梃子の原理で作用することにより、その分だけ小さい力で開閉扉２６０を開放できるという効果もある。
【００７３】
また、第３実施形態では、分岐装置２０を取り付ける際における、扉開放部２３０と開閉扉２６０との接触開始点が、少なくとも接続端子２３の後端側を基準として回転の支点側に設けられている。換言すれば、回転の支点である位置決め片２４２の係止部２４２ａから扉開放部２３０と開閉扉２６０との接触開始点までの距離が、係止部２４２ａから接続端子２３の後端側までの距離以下になるように設定されている。
【００７４】
これにより、分岐装置２０を取り付ける際における、扉開放部２３０と開閉扉２６０との接触開始点の位置精度（回転の支点からの距離の影響を受ける）が、少なくともプラグインホール５３に挿入される接続端子２３の位置精度以上となるため、開閉扉２６０を開放するのに一番力が必要な接触開始点において安定な接触が確保される。つまり、開閉扉２６０を安定して開放し易いという効果がある。また、梃子の原理でより力が加わり易くなるため、小さい力で開閉扉２６０を開放できる。さらに、接触開始点が支点側にずれた分だけ扉開放部２３０が開閉扉２６０と接触するまでの距離が短くなるため、扉開放部２３０を小さくコンパクトに構成することができる。
ここで、分岐装置２０を取り付ける際、作業者は、接続端子２３をプラグインホール５３内の導電性接続部材１２１・１２１間に挿入できる程度の位置精度で分岐装置２０を移動させることを求められるが、第３実施形態の場合、この位置精度は分岐装置２０の回転の支点である位置決め片２４２の係止部２４２ａから接続端子２３までの距離に依存する（距離が長い程、回転半径が大きくなるため位置精度は低下する）。
すなわち、回転の支点である位置決め片２４２の係止部２４２ａから扉開放部２３０と開閉扉２６０との接触開始点までの距離が、係止部２４２ａから接続端子２３の後端側までの距離以下であれば、作業者は、少なくとも接続端子２３をプラグインホール５３内の導電性接続部材１２１・１２１間に挿入する位置精度と同程度以上の位置精度で、扉開放部２３０を開閉扉２６０に接触させることができ、その結果として、開閉扉２６０を開放するのに一番力が必要な接触開始点において安定した接触が確保され、開閉扉２６０を安定して開放し易い効果がある。また、梃子の原理によって力が加わり易くなるため、小さい力で開閉扉２６０を開放できる。さらに、接触開始点が支点側にずれた分だけ、扉開放部２３０が開閉扉２６０を接触するまでの距離が短くなるため、扉開放部２３０をより小さくコンパクトに構成することができる。
また、第３実施形態の分岐装置２０は、分岐用端子２３がプラグインホール５３の導電性接続部材１２１・１２１間に挿入される前において、位置決め部２４０（位置決め片２４２）が位置決め孔２５４に位置決めされた後に扉開放部２３０（開放片２３２）が開閉扉２６０（被接触片２６４）に接触している。換言すれば、分岐装置２０は、位置決め部２４０と扉開放部２３０との二点によってバスダクト１０に対して位置決めされた状態で分岐用端子２３が挿入されることになる。よって、分岐装置２０は、分岐用端子２３をプラグインホール５３に挿入する際に、分岐用端子２３の位置がズレることがほぼ防止され、良好な位置精度でプラグインホール５３に挿入されることになる。
【００７５】
尚、第３実施形態において、接続端子２３の前端側を基準として回転の支点側に接触開始点を設けるようにすれば、扉開放部２３０と開閉扉２６０との接触開始点の位置精度が、プラグインホール２５３に挿入される接続端子２３の位置精度より向上し、開閉扉２６０をより安定に開放し易いという効果がある。
【００７６】
また、第３実施形態では、分岐装置２０を取り付ける際、扉開放部２３０の開放片２３２の接触角度変更辺２３２ａが開閉扉２６０の被接触片２６４に接触して回転方向に沿って押圧することになる。このとき、回転に伴ってバスダクト１０に対する分岐装置２０の角度が小さくなる方向（開閉扉２６０を開放し難い方向）に角度が変化するが、被接触片２６４に対する扉開放部２３０の接触位置が接触角度変更辺２３２ａに沿って移動することにより、開閉扉２６０の被接触片２６４に対する扉開放部２３０の開放片２３２の接触角度は、開閉扉２６０を開放し易い角度に維持される。
【００７７】
《第４実施形態》
次に、第４実施形態のバスダクトシステムについて図９〜１３を用いて説明する。
【００７８】
ここで、図９は、第４実施形態の分岐装置に設けられた位置決め部を説明するための図であり、（ａ）が位置決め部の平面図であり、（ｂ）が位置決め部の側面図であり、（ｃ）が図９（a）のＢ−Ｂ断面図であり、（ｄ）が位置決め部の背面図である。図１０は、第４実施形態の分岐装置に設けられた扉開放部を説明するための図であり、（ａ）が平面図であり、（ｂ）が側面図であり、（ｃ）が図１０（a）のＣ−Ｃ断面図であり、（ｄ）が背面図である。図１１は、第４実施形態の分岐装置に取り付けられ状態の扉開放部及び位置決め部を示す図であり、（a）が平面図であり、（ｂ）が側面図であり、（ｃ）が図１１（a）のＤ−Ｄ断面図であり、（ｄ）が背面図である。図１２は、第４実施形態のバスダクトのハウジングを構成する接続上下板及び開閉扉を示す模式図であり、（ａ）が開閉扉によりプラグインホールが閉塞されている状態を示した平面模式図であり、（ｂ）が開閉扉によりプラグインホールが閉塞されている状態を示した側面模式図であり、（ｃ）が開閉扉によりプラグインホールが開放されている状態を示した平面模式図であり、（ｄ）が接続上下板及び開閉扉の背面模式図である。図１３は、第４実施形態のバスダクトシステムの施行手順を示した模式図であり、（ａ）がバスダクトに分岐装置を位置合わせしている作業状態を示した模式図であり、（ｂ）がバスダクトに分岐装置を装着している作業状態を示した模式図であり、（ｃ）がバスダクトに分岐装置が装着された状態を示した模式図である。
【００７９】
尚、以下では、第１実施形態と同じ構成或いは類似する構成に関しては同じ符号を付し、その説明を省略する。また、第４実施形態では、第１実施形態の「扉開放部３０及び位置決め部４０」が「扉開放部３３０及び位置決め部３４０」に変更され、第１実施形態の「接続上限板５０及び開閉扉６０」が「接続上限板３５０及び開閉扉３６０」に変更され、第１実施形態の「被接触片６４」が「被接触片３６４」に変更されている。また、第４実施形態では、第１実施形態の「位置決め孔５４」が「位置決め孔３５４」に変更されている。
【００８０】
第４実施形態では、分岐装置２０に設けられる位置決め部３４０が図９に示す構造になっている。
具体的には、図示するように、位置決め部３４０は、平板状の基部３４１と、基部３４１の両端縁を略直角に屈曲して延設されている位置決め片３４２・３４２とを有している。また、基部３４１には、図１０に示す扉開放部３３０を間に介して箱体の底面２２ａに取り付けられた際に分岐用端子２３が挿通される端子孔３４９が設けられている。そして、位置決め部３４０は、基部３４１が箱体２２の底面２２ａに固定され、位置決め片３４２・３４２が、箱体の底面２２ａから下方向に延びるようにして箱体２２に取り付けられる（図１３参照）。
【００８１】
位置決め片３４２の前方辺には、基部３４１の前方側辺３４１ａから下方に延設され、その途中から前方へ屈曲して突出するフック状（段差状）の係止部３４２ａが形成され、係止部３４２ａの先端から斜め下前方に屈曲延設されるようにして前部傾斜辺３４２ｂが形成されている（図９（ｂ）、（ｃ）参照）。位置決め片３４２の前部傾斜辺３４２ｂの最下端からは、斜め上後方に屈曲延設されるようにして、後部斜辺３４２ｃが形成され、後部斜辺３４２ｃの上端からは、上方に向けて略円弧状の案内辺３４２ｄが延設されている。案内辺３４２ｄの上端からは、箱体支持辺３４２ｅが基部３４１と平行に後方へ延設され、箱体支持辺３４２ｅの後端から上方に略直角に屈曲延設されて基部３４１の側端縁に到達するようになっている。
【００８２】
位置決め片３４２は、このように前部傾斜辺３４２ｂと後部斜辺３４２ｃとにより鋭角的な逆三角形に形成されており、後述する接続上下板３５０の位置決め孔３５４に位置決めし易く、位置決め後の挿入もさせ易いという特徴がある。
【００８３】
位置決め部３４０は、基部３４１の上方向からの平面視において、係止部３４２ａが基部３４１から前方に突出した形状になっている。そして、図１３に示すように、係止部３４２ａ及び基部３４１の一部が、箱体２２の前端側である前壁２２ｃから突出するように配置して、位置決め部３４０が底板２２ａの前側に固定されている（換言すれば位置決め部３４０の一部が、箱体２２の取付面の垂直方向視で、箱体２２の外周から突出した位置に設けられている）。そのため、後述するバスダクト１０へのバスダクト分岐装置２０の取付作業のときに、バスダクト１０の位置決め孔と位置決め片３４２とを目視しながら取付作業を行うことが可能であり、容易に取付作業を行うことができるようになっている。
【００８４】
また、第４実施形態では、分岐装置２０に設けられる扉開放部３３０が図１０に示す構造になっている。
具体的には、図示するように、扉開放部３３０は、平板状の基部３３１と、基部３３１の両端縁を略直角に屈曲して延設されている開放片３３２・３３２とを有している。また、基部３３１には、箱体底面２２ａに取り付けられた際に分岐用端子２３が挿通される端子孔３３９が設けられている。そして、扉開放部３３０は、基部３３１が箱体２２の底面２２ａに固定され、開放片３３２・３３２が、箱体の底面２２ａから下方向に延びるようにして箱体２２に取り付けられる（図１３参照）。
【００８５】
開放片３３２の前方辺には、基部３３１の前方側辺３３１ａから斜め下前方に延設され、その途中から更に角度が急に変更されている前部傾斜辺３３２ａが形成されている（図１０（ｂ）（ｃ）参照）。尚、前部傾斜辺３３２ａの上側の傾斜角度部分は、分岐装置２０に取り付けた際に位置決め部３４０のフック状の係止部３４２ａが露出するように形成されており、前部傾斜辺３３２ａの下方側の傾斜角度部分は、位置決め部３４０の前部傾斜辺３４２ｂの傾斜角度と略同じに形成されている。
【００８６】
また、扉開放部３３０の前部傾斜辺３３２ａからは、底辺３３２ｃが基部３３１と略並行に延設されている。また、前部傾斜辺３３２ａと底辺３３２ｃが交わる頂点部分が切り欠かれて露出部３３２ｂが形成されている。底辺３３２ｃの後端からは、後方に凸状に膨らむ略円弧状の接触角度変更辺３３２ｄが延設され、接触角度変更辺３３２ｄの上端からは、箱体支持辺３３２ｅが基部３３１と平行に後方へ延設されている。
【００８７】
扉開放部３３０は、基部３３１の上方向からの平面視において、開放片３３２・３３２の前部傾斜辺３３２ａが基部３３１から前方に突出した形状になっている。そして、図１３に示すように、傾斜辺３３２ａ及び基部３３１の一部が、箱体２２の前端側である前壁２２ｃから突出するように配置して、扉開放部３３０が箱体２２の底面２２ａの前側に固定されている（換言すれば扉開放部３３０の一部が、箱体２２の取付面の垂直方向視で、箱体２２の外周から突出した位置に設けられている）。そのため、後述するバスダクト１０へのバスダクト分岐装置２０の取付作業のときに、扉開放部３３０の開放片３３２と後述する開閉扉との接触状態を目視しながら取付作業を行うことが可能であり、容易に取付作業を行うことができるようになっている。
【００８８】
そして位置決め部３４０と扉開放部３３０とは、図１１（ａ）〜（ｄ）に示すように、端子孔３４９と端子孔３３９とが一致するように位置決め部３４０の上に扉開放部３３０が重ねられた状態で分岐装置２０の箱体２２の底面２２ａに下から固定される構成である。尚、位置決め部３４０は、後述の接続上下板３５０の幅よりも僅かに狭く形成され、扉開放部３３０は後述の接続上下板３５０の幅よりも僅かに広く形成されている（図１１（ａ）（ｄ）参照）。尚、扉開放部３３０の露出部３３２ｂは、分岐装置２０に取り付けた際に位置決め部３４０の下端部分が側方から視認し易いように形成されている（図１１（ｂ）参照）。
【００８９】
次に、第４実施形態のバスダクト１０側の構造について説明する。
第４実施形態では、バスダクト１０の接続上下板３５０及び開閉扉３６０は、図１２（ａ）〜（ｄ）に示す構造になっている。
【００９０】
具体的には、図示するように、バスダクト１０の接続上下板３５０は、位置決め孔３５４が位置決め片３４２・３４２に対応する位置、すなわち、本実施形態では接続上下板３５０の前方端側に形成されており、それ以外の部分は、第１実施形態の接続上下板５０と同様の構成である。そして、このような接続上下板３５０に、プラグインホール５３を開閉自在に閉塞する開閉扉３６０がスライド自在に取り付けられている。
【００９１】
開閉扉３６０の被接触片３６４は、スライド側片６２の前端縁を外側に垂直に屈曲延設してなり、第１実施形態の開閉扉６０の被接触片６４とは異なり傾斜しておらず、前方向への突出量も少なく形成されている。すなわち、開閉扉３６０は、被接触片３６４以外の部分は第１実施形態の開閉扉６０と同様の構成である。
【００９２】
そして、このような開閉扉３６０は、接続上下板３５０にスライド自在に取り付けられ、第１実施形態の開閉扉６０と同様に、開閉扉３６０は、通常の状態ではバネ（付勢手段）７０に付勢されてプラグインホール５３を閉塞し（図１２（ａ）、（ｂ）参照）、扉開放部３３０によりバネ７０の付勢力を越える力で被接触片３６４が押圧されるとプラグインホール５３を開放する（図１２（ｃ）参照）。尚、このとき、切欠６５が孔として形成されておらず、被接触片３６４・３６４の間が分断していることにより、接続上下板３５０にゴミや埃が付着しているような場合に、開閉扉３６０が開放したことによってそのゴミや埃をプラグインホール５３内にこそぎ落としてしまうような事態を回避できることは、上述の第１実施形態と同様である。
【００９３】
次に、第４実施形態において、分岐装置２０をバスダクト１０に取り付ける施行手順及びバスダクトシステムの構成部品の動作について図１３を参照しながら説明する。
【００９４】
作業者は、先ず、図１３（ａ）に示すように接続ユニット１２の近傍に分岐装置２０を配置し、図１３（ｂ）に示すように、分岐装置２０の前壁２２ｃ側を下方にするように全体を傾斜させた状態でバスダクト１０に近づけ、接続上下板３５０に設けられた位置決め孔３５４に分岐装置２０の位置決め部３４０の位置決め片３４２を尖った下端から挿入し、位置決め片３４２の係止部３４２ａを位置決め孔３５４の縁に係止する。
【００９５】
このとき、分岐装置２０の扉開放部３３０の開放片３３２の底辺３３２ｃが傾斜した状態で開閉扉３６０の被接触片３６４に接触して鉛直下向きに押圧することにより、位置決め部３４０を位置決め孔３５４に挿入する方向へ移動させる力、すなわち、分岐装置２０をバスダクト１０へ近づける力が開閉扉３６０を開放する力に変換され、結果として開閉扉３６０が途中まで開放される（図１３（ｂ）参照）。これに伴い、被接触片３６４に対する扉開放部３３０の接触位置が扉開放部３３０の底辺３３２ｃの前方から後方に移動することになる。
【００９６】
そして、位置決め片３４２を支点にして、分岐装置２０全体をバスダクト１０に向けて回転させつつ更に近づけると、扉開放部３３０の開放片３３２の接触角度変更辺３３２ｄが開閉扉３６０の被接触片３６４に接触して回転方向に沿って押圧することになる。
【００９７】
このとき、回転に伴ってバスダクト１０に対する分岐装置２０の角度が小さくなる方向（開閉扉３６０を開放し難い方向）に角度が変化するが、被接触片３６４に対する扉開放部３３０の接触位置が接触角度変更辺３３２ｄに沿って移動することにより、被接触片３６４に対する開放片３３２の角度は、開閉扉３６０を開放し易い角度に維持される。尚、開閉扉３６０を開放し易い角度とは、バスダクト１０に対する分岐装置２０の角度より大きければよく、開放片３３２の底辺３３２ｃの長さや接触角度変更辺３３２ｄの設計によって適宜変更できる。尚、接触角度変更辺３３２ｄは、円弧形状だけでなく、複数の直線を組み合わせた多角形状や、他の曲線による形状、それらの複合形状でもよい。
【００９８】
その後、プラグインホール３５３に分岐用端子２３が挿入されて、第一固定部材２４、第三固定部材２６により分岐装置２０がバスダクト１０に固定される点については、上述の第１〜３実施形態と同様である。尚、位置決め片３４２の係止部３４２ａを位置決め孔３５４の縁に係止しているため、本実施形態では第２実施形態に設けていた第二固定部材１２５を特に設けていないが、より強固な固定のために設けるようにしても良い。
【００９９】
このように、第４実施形態においても、上述した第１実施形態と同様の作用効果が得られる。
【０１００】
また、第４実施形態においても、第３実施形態と同様、位置決め部３４０を支点として分岐装置２０を回転させることにより、開閉扉３６０を容易に開放してバスダクト１０に装着することができる。尚、第４実施形態の場合は、位置決め孔３５４に対する位置決め部３４０の挿入に伴う動きによっても開閉扉３６０が一部開放されるようになっており、挿入後、分岐装置２０を回転させることにより、最終的な位置まで開閉扉３６０が開放されるようになっている。これにより、回転のみによって開閉扉３６０を開放させる場合に比べて開閉扉３６０の移動量を大きく確保できる。一方、プラグインホール５３を完全に開放するまでに必要な開閉扉３６０の移動量から、回転による開閉扉３６０の移動分を減らすことも出来る。その結果として、バスダクト１０に対して分岐装置２０をあまり傾けない状態を取付け開始状態として設定でき、バスダクト１０に周囲のスペースが狭いような場合に作業が容易になるという効果も有する。
【０１０１】
さらに、第４実施形態は、扉開放部３３０の開放片３３２が、位置決め部３４０と重なる程に分岐装置２０の回転の支点側に設けられているため、位置決め部３４０と位置決め孔３５４とによる位置決めの直後に扉開放部３３０の開放片３３２と開閉扉３６０の被接触片３６４とが接触開始することになり、開閉扉３６０を開放するのに一番力が必要な接触開始点において極めて安定な接触が確保される。
尚、第４実施形態においても、位置決め部３４０と扉開放部３３０との二点によってバスダクト１０に対して位置決めされた状態で分岐用端子２３が挿入されることは上述した第１・第３実施形態と同様であり、分岐装置２０は、分岐用端子２３をプラグインホール５３に挿入する際に、分岐用端子２３の位置がズレることがほぼ防止され、良好な位置精度でプラグインホール５３に挿入されることになる。
【０１０２】
尚、分岐装置２０の取り付ける際、第２実施形態の様に先ず位置決め部３４０で開閉扉３６０の開放を開始するようにして、その後、開閉扉３６０の開放を扉開放部３３０に受け渡すようにしても良い。そのためには、例えば位置決め部３４０の位置決め片３４２の先端を扉開放部３３０の開放片３３２よりも下方に大きく突出させる等すれば良く、そのための構成は適宜である。
【０１０３】
尚、第４実施形態の開閉扉３６０において、図１５（ａ）、（ｂ）に示すように、被接触片３６４・３６４を連結して連結架橋部３６４ａとすることで、分岐用端子２３が挿通される切欠ではなく挿通孔３６４ｂとしても良く、その分だけ開閉扉３６０の強度を向上させることができる。この場合、挿通孔３６４ｂを挟んで係止部６５ａの対向する位置に係止部６５ｂを設けることにより、開閉扉３６０を開放した際にもビス７１等が係止部６５ｂに係止されることになる。また、この連結架橋部３６４ａは、接続上下板３５０の基部５１から離間するように屈曲して持ち上げて形成するようにしても良く、そうすることで、連結架橋部３６４ａが無い場合の機能（ゴミや埃をプラグインホール５３内にこそぎ落とさない）も併せ持つことが可能となる。さらに、図１５（ｃ）に示すように、開閉扉３６０に連結架橋部３６４ａを設けず、係止部６５ｂのみを形成するようにしても良い。この構成により、ゴミや埃をプラグインホール５３内にこそぎ落とさない機能と、開閉扉３６０を開放した際の係止部６５ｂによる開閉扉３６０の係止機能を両立することができる。
【０１０４】
以上、説明したように、本実施形態（第１〜４実施形態）によれば、バスダクト１０に分岐装置２０を取り付ける際に、プラグインホール５３の位置に、分岐装置２０を容易に位置合わせでき、且つ開閉扉（６０、１６０、２６０、３６０）を自動で開放させることができるため、上述した従来技術と比べて、施工性が向上する。また、本実施形態によれば、プラグインホール５３に分岐装置２０が取り付けられていない状態のときには、付勢手段（バネ７０）に付勢された開閉扉（６０、１６０、２６０、３６０）によりプラグインホール５３が閉塞されているため、バスダクト１０の保護性能も確保されている。
尚、本発明は、上述した実施形態（第１〜４実施形態）に限らず、その要旨の範囲内において種々の変更が可能である。
【０１０５】
例えば、第１乃至第４実施形態では、絶縁被覆型バスダクト１０を用いる場合について述べたが、本発明はこれに限らず、空気絶縁型バスダクトであっても良い。
【０１０６】
また、第１乃至第４実施形態では、分岐装置２０の扉開放部の開放片や位置決め部の位置決め片がバスダクト１０のハウジング内に挿入されない場合について述べたが、本発明はこれに限らず、ハウジングに開口を設けてハウジング内に収納するようにしても良い。
【０１０７】
さらに、第１乃至第４実施形態では、一枚の開閉扉をバスダクト１０の長手方向の後方側にスライドさせてプラグインホール５３を開放するようにした場合について述べたが、本発明はこれに限らず、開閉扉を二つに分けて突き合わせ配置し、一方をバスダクト１０の長手方向のうち前方側にスライドさせると共にもう一方を後方側にスライドさせてプラグインホール５３を開放するようにしても良いし、開閉扉をバスダクトの幅方向にスライドさせて開放するようにしても良いし、観音開きタイプの開閉扉であっても良い。すなわち、分岐装置２０をバスダクト１０に近づける動作（回転も含む）により開閉扉を開放（開閉扉を開方向に動かしてプラグインホール５３を開放）できるのであれば、開閉扉の開閉構造に特に限定はない。
【０１０８】
また、第１乃至第４実施形態では、プラグインホールをバスダクト１０に係る接続ユニット１２に設けるようにした場合について述べたが、本発明はこれに限らず、例えば絶縁被覆型のバスダクトであればバスダクトユニット１１の一部をバスダクトの厚み方向に膨張させた膨張部を形成し、その膨張部に接続上下板５０及び開閉扉６０を配置して設けるようにしてもよい。さらに、空気絶縁型のバスダクトであれば、バスダクトユニット１１にプラグインホール及び位置決め孔等を設け、その部分を開閉できるように開閉扉６０を設けても良く、どちらの構造でも、上述した第１乃至第４実施形態と同様の効果を有することができる。
以上、第１乃至第４実施形態及び変形例のバスダクトシステムについて説明したが、本発明はこれらに限定されず、実施形態や変形例の各構成を部分的に抽出して構成した形態や、その一部又は全部を任意に抽出して組み合わせて構成した形態や、各構成を適宜変更した形態についても広く包含するものである。
【符号の説明】
【０１０９】
１０…バスダクト
１１…バスダクトユニット
１１１…絶縁被覆導体
１１１ａ…導体
１１２…パイプスペーサ（スペーサ）
１１３…側板
１１３ａ…第１補強部
１１３ｂ…第２補強部
１１４ａ…ボルト
１１４ｂ…ナット
１２…接続ユニット
１２１…導電性接続部材
１２２…絶縁セパレータ
１２３…接続側板
１２５…押圧部材
１２５…絶縁スリーブ
１２６…締着具
５０、９０、１５０、２５０、３５０…接続上下板
５１…基部
５２…補強片
５３…プラグインホール
５４、１５４、２５４、３５４…位置きめ孔
６０、１６０、２６０、３６０…開閉扉
６１…基部
６２…スライド側片
６３…スライド下片
６４、１６４、２６４、３６４…被接触片
６５…切欠
６５ａ…係止部
７０…ばね（付勢手段）
１６４…前端縁
２０…分岐装置
２２…箱体
２２ａ…底面
２２ｂ…側壁
２２ｃ…前壁
２２ｄ…後壁
２２ｅ…蓋体
２３…分岐用端子
２３ａ…端子台
２３ｂ…ブレーカー
２３ｃ…可撓性導線
２４…第一固定部材
２５…第二固定部材
２６…第三固定部材
３０、１３０…扉開放部
３１…基部
３１ａ…端子孔
３１ｂ…前方側辺
３２…開放片
３２ａ…前方辺
３２ｂ…底辺
３２ｃ…傾斜辺
４０…位置決め部
４１…基部
４１ｂ…後方側辺
４２…位置決め片
４２ａ…前方辺
４２ｂ…底辺
４２ｃ…後方辺
２３０…扉開放部
２３２…開放片
２３２ａ…接触角度変更辺
２４０…位置決め部
２４２…位置決め片
２４２ａ…係止部
３３０…扉開放部
３３１…基部
３３１ａ…前方側辺
３３２…開放片
３３２ａ…前部傾斜辺
３３２ｂ…露出部
３３２ｃ…底辺
３３２ｄ…接触角度変更辺
３３２ｅ…箱体支持辺
３３９…端子孔
３４０…位置決め部
３４１…基部
３４２…位置決め片
３４１ａ…前方側辺
３４２ａ…係止部
３４２ｂ…前部傾斜辺
３４２ｃ…後部斜辺
３４２ｄ…案内辺
３４２ｅ…箱体支持辺
３４９…端子孔
【図１】
0006636308.tif 000002
【図２】
0006636308.tif 000003
【図３】
0006636308.tif 000004
【図４】
0006636308.tif 000005
【図５】
0006636308.tif 000006
【図６】
0006636308.tif 000007
【図７】
0006636308.tif 000008
【図８】
0006636308.tif 000009
【図９】
0006636308.tif 000010
【図１０】
0006636308.tif 000011
【図１１】
0006636308.tif 000012
【図１２】
0006636308.tif 000013
【図１３】
0006636308.tif 000014
【図１４】
0006636308.tif 000015
【図１５】
0006636308.tif 000016